(57)【特許請求の範囲】
【請求項１】
レンズ体を搭載可能なレンズ保持部材と、前記レンズ保持部材と固定部との間に設けられて前記レンズ保持部材を前記レンズ体の光軸方向へ移動自在に支持する板ばねと、前記レンズ保持部材に設けられたコイルと、前記レンズ保持部材を側方から覆う側壁部を有して前記レンズ保持部材を囲むように形成された磁性材料製のヨークと、前記ヨークの内側で前記コイルに対向する駆動磁石と、前記レンズ保持部材の光軸方向の位置を検知可能な位置検知手段と、を有するレンズ駆動装置において、
前記位置検知手段は、前記レンズ保持部材に設けられた１つの位置検知磁石と、前記位置検知磁石に離間して配置された磁気検知部材とを有し、前記ヨークの前記側壁部に、前記位置検知磁石を露出させる開口部が、前記位置検知磁石と対向する部分に形成されて、前記位置検知磁石の一部が、前記開口部内において前記側壁部の板厚内に位置していることを特徴とするレンズ駆動装置。
【請求項２】
前記ヨークの前記側壁部は、４つの側面を有しており、前記開口部が１つの側面にのみ形成されている請求項１記載のレンズ駆動装置。
【請求項３】
前記レンズ保持部材では、前記位置検知磁石の中心と前記レンズ体の光軸とを結ぶ仮想線に垂直で前記光軸を通る仮想分割面を挟んで一方側に前記位置検知磁石が設けられ、他方側に、前記位置検知磁石との質量のバランスをとるためのバランス質量が設けられている請求項１または２記載のレンズ駆動装置。
【請求項４】
前記仮想分割面を挟んだ他方側に、前記バランス質量が少なくとも２か所に設けられている請求項３記載のレンズ駆動装置。
【請求項５】
レンズ体を搭載可能なレンズ保持部材と、前記レンズ保持部材と固定部との間に設けられて前記レンズ保持部材を前記レンズ体の光軸方向へ移動自在に支持する板ばねと、前記レンズ保持部材に設けられたコイルと、前記レンズ保持部材を側方から覆う側壁部を有して前記レンズ保持部材を囲むように形成された磁性材料製のヨークと、前記ヨークの内側で前記コイルに対向する駆動磁石と、前記レンズ保持部材の光軸方向の位置を検知可能な位置検知手段と、を有するレンズ駆動装置において、
前記位置検知手段は、前記レンズ保持部材に設けられた１つの位置検知磁石と、前記位置検知磁石に離間して配置された磁気検知部材とを有し、前記ヨークの前記側壁部に、前記位置検知磁石を露出させる開口部が、前記位置検知磁石と対向する部分に形成されており、
前記レンズ保持部材では、前記位置検知磁石の中心と前記レンズ体の光軸とを結ぶ仮想線に垂直で前記光軸を通る仮想分割面を挟んで一方側に前記位置検知磁石が設けられ、他方側の少なくとも２か所に、前記位置検知磁石との質量のバランスをとるためのバランス質量が設けられていることを特徴とするレンズ駆動装置。
【請求項６】
前記コイルを構成する導線がレンズ保持部材に支持されて、前記板ばねと前記コイルの両端部側に位置する前記導線とが、それぞれ接合材で接合されており、前記バランス質量に２か所の前記接合材が含まれている請求項４または５記載のレンズ駆動装置。
【請求項７】
前記コイルを構成する導線がレンズ保持部材に支持されて、前記板ばねと前記コイルの両端部側に位置する前記導線とが、それぞれ接合材で接合されており、
前記レンズ保持部材では、前記位置検知磁石の中心と前記レンズ体の光軸とを結ぶ仮想線に垂直で前記光軸を通る仮想分割面を挟んで一方側に前記位置検知磁石が設けられ、
前記仮想分割面を挟んだ他方側に、２か所の前記接合材が設けられている請求項１または２記載のレンズ駆動装置。
【請求項８】
レンズ体を搭載可能なレンズ保持部材と、前記レンズ保持部材と固定部との間に設けられて前記レンズ保持部材を前記レンズ体の光軸方向へ移動自在に支持する板ばねと、前記レンズ保持部材に設けられたコイルと、前記レンズ保持部材を側方から覆う側壁部を有して前記レンズ保持部材を囲むように形成された磁性材料製のヨークと、前記ヨークの内側で前記コイルに対向する駆動磁石と、前記レンズ保持部材の光軸方向の位置を検知可能な位置検知手段と、を有するレンズ駆動装置において、
前記位置検知手段は、前記レンズ保持部材に設けられた１つの位置検知磁石と、前記位置検知磁石に離間して配置された磁気検知部材とを有し、前記ヨークの前記側壁部に、前記位置検知磁石を露出させる開口部が、前記位置検知磁石と対向する部分に形成されており、
前記コイルを構成する導線がレンズ保持部材に支持されて、前記板ばねと前記コイルの両端部側に位置する前記導線とが、それぞれ接合材で接合されており、
前記レンズ保持部材では、前記位置検知磁石の中心と前記レンズ体の光軸とを結ぶ仮想線に垂直で前記光軸を通る仮想分割面を挟んで一方側に前記位置検知磁石が設けられ、
前記仮想分割面を挟んだ他方側に、２か所の前記接合材が設けられていることを特徴とするレンズ駆動装置。
【請求項９】
前記接合材は、銀を含んだ導電性接着剤である請求項６ないし８のいずれかに記載のレンズ駆動装置。
【請求項１０】
前記位置検知磁石が前記レンズ保持部材に固定され、前記磁気検知部材が、前記光軸に沿う方向で、前記位置検知磁石に対向しているとともに、前記レンズ保持部材とは異なる固定部に設けられている請求項１ないし９のいずれかに記載のレンズ駆動装置。
【請求項１１】
前記板ばねの一部は、前記光軸に沿う方向で、前記位置検知磁石に近接または接触して対向しており、前記位置検知磁石と前記磁気検知部材との間に、前記板ばねの一部が介在している請求項１０記載のレンズ駆動装置。
【請求項１２】
前記ヨークの前記開口部を外側から覆うカバー部材が設けられている請求項１ないし１１のいずれかに記載のレンズ駆動装置。
【請求項１３】
前記請求項１ないし１２のいずれかに記載のレンズ駆動装置と、前記レンズ駆動装置の前記レンズ保持部材に保持されたレンズ体と、前記レンズ体に対向する撮像素子と、を有することを特徴とするカメラモジュール。
【発明の詳細な説明】
【技術分野】
【０００１】
本発明は、レンズ体を搭載可能なレンズ保持部材に設けられた位置検知磁石と、前記位置検知磁石からの磁界を検知する磁気検知部材とを備えたレンズ駆動装置および前記レンズ駆動装置を用いたカメラモジュールに関する。
【背景技術】
【０００２】
特許文献１に、レンズ駆動装置に関する発明が記載されている。
このレンズ駆動装置は、ベース部材の上にヨークが固定されており、ヨークの内部に、レンズバレルを搭載したレンズホルダ（レンズ保持部材）と、スペーサとが設けられている。レンズホルダとベース部材またはスペーサとの間に上側板バネと下側板バネが設けられて、レンズホルダが光軸方向に移動自在に支持されている。【０００３】
レンズホルダの周囲に駆動コイルが設けられ、ヨークの内側に、駆動コイルに対向する駆動用マグネットが対向している。ヨークに与えられる駆動電流と駆動用マグネットの磁界とによって、レンズホルダが光軸方向へ駆動される。【０００４】
特許文献１に記載のレンズ駆動装置には、位置検知部が設けられている。位置検知部は、レンズホルダにおいて光軸を挟む位置に搭載された一対のセンサ用マグネットと、一方のセンサ用マグネットに対向するホールセンサとで構成されている。ホールセンサは、ベース部材に保持されて、一方のセンサ用マグネットの側方に対向している。【０００５】
このレンズ駆動装置は、駆動コイルに駆動電流を流すことで、レンズホルダが光軸方向に移動させられる。このとき、レンズホルダに搭載されたセンサ用マグネットの磁界がホールセンサで検知される。ホールセンサからの検知出力から、駆動電流とレンズホルダの移動位置との関係が求められ、レンズホルダを目標位置へ移動させる制御を行うことができるようになっている。【０００６】
前記レンズ駆動装置では、レンズホルダにおいて光軸を挟む位置に一対のセンサ用マグネットを搭載することで、質量を均等に配置し、レンズホルダの移動時と静止時のバランスを保っている。また、レンズ駆動装置に設けられているヨークに、駆動用マグネットの磁束が通過するため、ヨークの対向する２つの側板のそれぞれに、センサ用マグネットからの洩れ磁界を避けるための切欠き部が形成されている。
【先行技術文献】
【特許文献】
【０００７】
【特許文献１】特開２０１６−４１０８号公報
【発明の概要】
【発明が解決しようとする課題】
【０００８】
特許文献１に記載されたレンズ駆動装置は、以下の課題を有している。
（１）センサ用マグネットが２か所に設けられ、それぞれのセンサ用マグネットが設けられた部分でヨークに切欠き部が設けられている。したがって、センサ用マグネットから発せられる磁界が、レンズ駆動装置の対向する２方向に漏れ出ることになり、磁界の影響を受ける他の電子部品を前記２方向に隣接して配置することができず、また複数のレンズ駆動装置を並べて使用する場合にも、他方のレンズ駆動装置を前記２方向に並べて配置することができなくなり、設計の自由度を阻害することになる。【０００９】
（２）センサ用マグネットが２個設けられているため、部品数が多くなり、またセンサ用マグネットは比較的高価であるため、製造コストも高くなる。【００１０】
本発明は、上記従来の課題を解決するものであり、周囲に与える漏れ磁束の影響を制限できるようにし、設計の自由度を高めることができるレンズ駆動装置および前記レンズ駆動装置を用いたカメラモジュールを提供することを目的としている。
【課題を解決するための手段】
【００１１】
本発明は、レンズ体を搭載可能なレンズ保持部材と、前記レンズ保持部材と固定部との間に設けられて前記レンズ保持部材を前記レンズ体の光軸方向へ移動自在に支持する板ばねと、前記レンズ保持部材に設けられたコイルと、前記レンズ保持部材を側方から覆う側壁部を有して前記レンズ保持部材を囲むように形成された磁性材料製のヨークと、前記ヨークの内側で前記コイルに対向する駆動磁石と、前記レンズ保持部材の光軸方向の位置を検知可能な位置検知手段と、を有するレンズ駆動装置において、
前記位置検知手段は、前記レンズ保持部材に設けられた１つの位置検知磁石と、前記位置検知磁石に離間して配置された磁気検知部材とを有し、前記ヨークの前記側壁部に、前記位置検知磁石を露出させる開口部が、前記位置検知磁石と対向する部分に形成されており、
以下の（Ａ）〜（Ｃ）のいずれかの特徴を有するものである。
（Ａ）前記位置検知磁石の一部が、前記開口部内において前記側壁部の板厚内に位置している。
（Ｂ）前記レンズ保持部材では、前記位置検知磁石の中心と前記レンズ体の光軸とを結ぶ仮想線に垂直で前記光軸を通る仮想分割面を挟んで一方側に前記位置検知磁石が設けられ、他方側の少なくとも２か所に、前記位置検知磁石との質量のバランスをとるためのバランス質量が設けられている。
（Ｃ）前記コイルを構成する導線がレンズ保持部材に支持されて、前記板ばねと前記コイルの両端部側に位置する前記導線とが、それぞれ接合材で接合されており、
前記レンズ保持部材では、前記位置検知磁石の中心と前記レンズ体の光軸とを結ぶ仮想線に垂直で前記光軸を通る仮想分割面を挟んで一方側に前記位置検知磁石が設けられ、
前記仮想分割面を挟んだ他方側に、２か所の前記接合材が設けられている。
【００１２】
本発明のレンズ駆動装置は、前記ヨークの前記側壁部は、４つの側面を有しており、前記開口部が１つの側面にのみ形成されているものである。【００１５】
上記のバランス質量に関する発明は、ヨークに形成された開口部と無関係に成立させることができる。すなわち、上記のバランス質量に関する発明に関しては、ヨークに位置検知磁石とは無関係の開口部が有っても無くてもよく、ヨークに開口部がいくつ形成されていてもよい。【００１７】
上記（Ｂ）においては、前記コイルを構成する導線がレンズ保持部材に支持されて、前記板ばねと前記コイルの両端部側に位置する前記導線とが、それぞれ接合材で接合されており、前記バランス質量に２か所の前記接合材が含まれていることが好ましい。
【００１９】
本発明のレンズ駆動装置は、前記接合材が、銀を含んだ導電性接着剤であることが好ましい。【００２０】
本発明のレンズ駆動装置は、前記位置検知磁石が前記レンズ保持部材に固定され、前記磁気検知部材が、前記光軸に沿う方向で、前記位置検知磁石に対向しているとともに、前記レンズ保持部材とは異なる固定部に設けられているものである。【００２１】
この場合に、前記板ばねの一部は、前記光軸に沿う方向で、前記位置検知磁石に近接または接触して対向しており、前記位置検知磁石と前記磁気検知部材との間に、前記板ばねの一部が介在していることが好ましい。【００２２】
本発明のレンズ駆動装置は、前記ヨークの前記開口部を外側から覆うカバー部材が設けられている。【００２３】
次に、本発明のカメラモジュールは、前記いずれかに記載のレンズ駆動装置と、前記レンズ駆動装置の前記レンズ保持部材に保持されたレンズ体と、前記レンズ体に対向する撮像素子と、を有することを特徴とするものである。
【発明の効果】
【００２４】
本発明は、１つの位置検知磁石をレンズ保持部材の１か所にのみ設け、ヨークの側壁部において、位置検知磁石を露出させる開口部を、位置検知磁石と対向する部分に形成している。したがって、位置検知磁石からの磁界の漏れ方向をヨークの１方向に特定でき、周囲に磁界の影響を受ける電子部品や、他のレンズ駆動装置などを配置しやすくなり、設計の自由度を高めることができる。【００２５】
本発明は、レンズ保持部材において、バランス質量を少なくとも２か所設けると、位置検知磁石とバランス質量とで、質量のバランスを保ちやすくなる。またコイルの両端部側の導線と板ばねとを接合する接合材をバランス質量の少なくとも一部として使用することで、バランス質量のための他の磁石や他の錘を部品として設けることが不要になる。
【図面の簡単な説明】
【００２６】
【図１】本発明の実施の形態のレンズ駆動装置の外観を示す斜視図、
【図２】図１に示すレンズ駆動装置からカバー部材を取り外した状態を示す分解斜視図、
【図３】図２に示すレンズ駆動装置からさらにヨークを外した状態を示す分解斜視図、
【図４】ヨークの内部に収納されている各部材を示す分解斜視図、
【図５】図２のＶ矢視部分を拡大して示す部分拡大斜視図、
【図６】ヨークとカバー部材で覆われている状態のレンズ駆動装置を、図５のＶＩ−ＶＩ線で切断した断面図、
【図７】レンズ保持部材に下部板ばねが取り付けられた状態を、図４のＶＩＩ矢視方向から見た底面図、
【図８】コイルの導線と下部板ばねとの接合部を示すものであり、図７に示す底面図をＶＩＩＩ矢視方向から見た部分斜視図、
【発明を実施するための形態】
【００２７】
図１ないし図３に、本発明の実施の形態のレンズ駆動装置１の全体構造が示されている。
【００２８】
レンズ駆動装置１はレンズ保持部材１０を有している。レンズ保持部材１０の中心穴１１にレンズ体（レンズバレル）が装着される。レンズ体は、１枚のレンズまたは複数枚のレンズを組み合わせたレンズ組と、前記レンズまたは前記レンズ組を保持したレンズホルダとから構成される。中心穴１１に雌ねじ部１１ａが形成され、レンジホルダの外周面に雄ねじ部が形成されており、雄ねじ部が雌ねじ部１１ａに螺着されることで、レンズ体がレンズ保持部材１０に装着されて搭載される。なお、レンズ体は、接着剤でレンズ保持部材１０に固定される構造でもよい。
【００２９】
各図に示すＺ１−Ｚ２方向は、上下方向であり、レンズ体の光軸Ｏと平行な方向である。レンズ駆動装置１は、携帯電話などの携帯用電子機器に搭載される。レンズ駆動装置１よりもＺ２側に、ＣＣＤなどの撮像素子が配置される。レンズ駆動装置１とレンズ体および撮像素子でカメラモジュールが構成される。カメラモジュールでは、レンズ保持部材１０とこれに搭載されたレンズ体がＺ１−Ｚ２方向へ移動することによって、撮像素子に結像する像の自動焦点合わせが行われる。
【００３０】
図１ないし図３に示すように、レンズ駆動装置１に、支持基台２が設けられ、支持基台２の上にヨーク３が固定されている。さらにヨーク３の外側にカバー部材４が組み合わされ、カバー部材４は接着剤によってヨーク３に固定されている。ヨーク３は圧延鋼板などの磁性材料の金属板で形成されている。支持基台２とカバー部材４は、共に非磁性材料で形成されている。支持基台２は合成樹脂材料で形成され、カバー部材４は非磁性のステンレス鋼板などの金属板で形成されているが、合成樹脂材料で形成されてもよい。
【００３１】
支持基台２とヨーク３およびカバー部材４とが組み合わされて、内部に収納空間を有する固定部（ハウジング）が構成されている。図４に示すように、支持基台２に光透過穴２ｂが開口しており、図３に示すように、ヨーク３の天井部３ａに光透過穴３ｂが開口し、図２に示すように、カバー部材４の天井部４ａに光透過穴４ｂが形成されている。支持基台２とヨーク３およびカバー部材４は、外形の平面形状が四角形状（矩形状）である。
【００３２】
図４に示すように、支持基台２の４箇所の角部の上に、突起を有するばね固定部２ａが形成されている。支持基台２の上に、互いに分離された一対の下部板ばね２０が取り付けられている。それぞれの下部板ばね２０は、固定側支持片２１と、その内側の可動側支持片２２、および固定側支持片２１と可動側支持片２２とを繋ぐ弾性腕部２３が、導電性の板ばね金属材料で一体に形成されている。なお、下部板ばね２０および後述する上部板ばね３０は、非磁性材料である銅系の金属板で形成されている。
【００３３】
それぞれの下部板ばね２０の固定側支持片２１には、Ｘ１側とＸ２側の２箇所に取付け穴２１ａが形成されている。それぞれの取付け穴２１ａが、支持基台２のばね固定部２ａに備えられた突起に嵌合し、前記突起が熱かしめされて、支持基台２と固定側支持片２１とが固定されている。それぞれの下部板ばね２０の可動側支持片２２には、３か所に取付け穴２２ａが形成されている。
【００３４】
図７には、レンズ保持部材１０の下面１０ａと、下面１０ａに固定された下部板ばね２０とが示されている。図７は、図４に示すレンズ保持部材１０および下部板ばね２０を、Ｘ１−Ｘ２軸を中心として１８０度回転させた姿勢で示している。ただし、便宜上、図７には、後述する磁気検知部材５２も示している。レンズ保持部材１０の下面１０ａには合計６か所にばね固定部１２となる突起が設けられている。下部板ばね２０の可動側支持片２２に形成されたそれぞれの取付け穴２２ａをばね固定部１２の突起に嵌合し、前記突起を熱かしめすることで、可動側支持片２２がレンズ保持部材１０の下面１０ａに固定されている。
【００３５】
図３に示すように、前記レンズ保持部材１０の上（Ｚ１側）に上部板ばね３０が設けられている。図４に示すように、上部板ばね３０は、四角形の枠形状の固定側支持片３１と、その内側の可動側支持片３２、および固定側支持片３１と可動側支持片３２とを繋ぐ弾性腕部３３とが、板ばね金属材料で一体に形成されている。図４に示すように、レンズ保持部材１０のＺ１側に向く上面１０ｂでは、Ｙ１側とＹ２側にばね固定部１３が設けられている。上部板ばね３０の可動側支持片３２は、ばね固定部１３に、接着剤などの固定手段で固定されている。
【００３６】
図３と図４に示すように、レンズ駆動装置１に４個の駆動磁石Ｍが設けられている。それぞれの駆動磁石Ｍは、ヨーク３の側壁部３ｃの内面に接着剤で固定されている。上部板ばね３０の固定側支持片３１には、４箇所の角部に取付け部３１ａが形成されており、それぞれの取付け部３１ａが、ヨーク３の天井部３ａの下面と駆動磁石Ｍとの間に挟まれて固定されている。なお、駆動磁石Ｍを固定する接着剤の一部は、取付け部３１ａの上面および下面にも存在している。
【００３７】
レンズ保持部材１０は、駆動磁石Ｍの下で支持基台２に固定された下部板ばね２０と、駆動磁石Ｍの上でヨーク３の天井部３ａの下面に固定された上部板ばね３０とで挟まれて、４箇所の駆動磁石Ｍで囲まれた動作空間内に収められている。下部板ばね２０に設けられた弾性腕部２３は、細く湾曲形状に成形されており、上部板ばね３０に設けられた弾性腕部３３も、細く湾曲形状に成形されている。レンズ保持部材１０は、上下の弾性腕部２３，３３の弾性変形によって、Ｚ１−Ｚ２方向へ移動自在に支持されている。
【００３８】
図３と図４に示すように、レンズ保持部材１０の外周に被覆導線４１が巻かれたコイルＣが設けられている。被覆導線４１は、非磁性の銅系の金属で形成されている。ヨーク３の内部に固定された４つの前記駆動磁石Ｍは、レンズ保持部材１０の４箇所の角部において、前記コイルＣの外側に対向している。４つの駆動磁石Ｍは、コイルＣに対向する対向面が同じ磁極に着磁されている。
【００３９】
図４に示す支持基台２に、金属板が埋設されており、金属板の一部が複数の接続端子５となって支持基台２の側方から下向きに突出している。複数の接続端子５は、支持基台２の一辺に沿って１列に並んで設けられている。支持基台２の４箇所のばね固定部２ａのうちのＸ１側に設けられた２箇所のばね固定部２ａに、前記金属板の一部が露出した露出部５ａが設けられている。それぞれの下部板ばね２０の固定側支持片２１には、Ｘ１側において、貫通部を有する接合部２１ｂが形成されており、それぞれの接合部２１ｂ（貫通部の周囲）が露出部５ａに個別に密着して、半田や導電性接着剤あるいは溶接によって接合されている。これにより、複数の接続端子５のうちのいずれか１つが、一方の下部板ばね２０に導通し、複数の接続端子５の他の１つが、他方の下部板ばね２０に導通している。
【００４０】
図７の底面図に示すように、レンズ保持部材１０のＺ２側に向く下面１０ａでは、２箇所に通電接合部４０が設けられている。図８に、Ｙ１側に位置する通電接合部４０が部分斜視図で示されている。それぞれの通電接合部４０では、レンズ保持部材１０の下面１０ａから下方（Ｚ２方向）へ突部１４が突出して一体に形成されている。コイルＣを巻き形成している被覆導線４１は、コイルＣの両端部がそれぞれレンズ保持部材１０の下面１０ａ側に引き出されている。この引き出された部分における被覆導線４１のそれぞれの端末部４１ａの絶縁被覆が除去され、端末部４１ａが突部１４に巻き付けられて支持されている。
【００４１】
図７と図８に示すように、２つに分割されているそれぞれの下部板ばね２０の可動側支持片２２に、通電接合部４０の突部１４に対向する接合切欠き部２４が形成されている。下部板ばね２０の接合切欠き部２４が形成されている部分と、突部１４に巻かれた端末部４１ａが、接合材である導電性接着剤４２によって接合されている。導電性接着剤４２は、銀粒子と接着バインダーを含有しており、半田よりも比重が大きくなっている。導電性接着剤４２は、非磁性材料で形成されている。図８に示すように、導電性接着剤４２は、端末部４１ａと可動側支持片２２との間を繋ぐように付着しているとともに、可動側支持片２２と、レンズ保持部材１０の下面１０ａとの間にも入り込んで、導電性接着剤４２が、可動側支持片２２とレンズ保持部材１０の双方に固定されている。この塗布方法では、導電性接着剤４２の量を正確に計って通電接合部４０に供給することが可能である。
【００４２】
図２と図５および図６に示すように、レンズ駆動装置１のＸ１側の側部に、位置検知部５０が設けられている。位置検知部５０は、レンズ保持部材１０の光軸方向（Ｚ１−Ｚ２方向）における位置を検出するための位置検知手段である。位置検知部５０は、１つの位置検知磁石５１と、位置検知磁石５１と離間して配置される磁気検知部材５２とで構成されている。位置検知磁石５１は、Ｚ２方向に向く下面５１ａとＺ１方向に向く上面５１ｂとが異なる磁極に着磁されており、例えば下面５１ａがＮ極で、上面５１ｂがＳ極である。
【００４３】
図４と図５に示すように、レンズ保持部材１０の下部には、Ｘ１側の側部に保持凹部１５が形成されており、位置検知磁石５１が保持凹部１５内に接着剤で固定されている。図６に示すように、位置検知磁石５１は、レンズ保持部材１０に巻かれたコイルＣの下側にほぼ密着した状態で固定されている。
【００４４】
図４に示すように、分離された２つの下部板ばね２０のうちのＹ１側に位置する下部板ばね２０の可動側支持片２２には、Ｘ１側において取付け穴２２ａの形成箇所から延長する磁石支持片２５が形成されている。図５と図６に示すように、磁石支持片２５は、位置検知磁石５１の下面５１ａに対向している。図６では、磁石支持片２５が下面５１ａにわずかな隙間を空けて対向しているが、磁石支持片２５は位置検知磁石５１の下面５１ａに接していてもよい。位置検知磁石５１の下面５１ａに磁石支持片２５が近接しあるいは接触状態で対向していると、外部衝撃などが与えられたとしても、位置検知磁石５１が、レンズ保持部材１０から脱落する故障の発生を防ぐことができる。
【００４５】
図４と図５および図６に示すように、支持基台２のＸ１側の側部に磁気検知部材５２が設置されている。磁気検知部材５２は、ホール素子や磁気抵抗効果素子などの磁気検知素子とこれに付随する回路を内蔵している。図４と図６に示すように、支持基台２に保持凹部６が形成されており、保持凹部６の表面に、複数の接続端子５のいずれかが露出した露出部５ｂが設けられている。磁気検知部材５２は保持凹部６の内部に位置決めされ、磁気検知部材５２の下面の電極部５２ａ（図４と図５参照）が、露出部５ｂに導電性接着剤などを介して接続されている。図６に示すように、磁気検知部材５２は、位置検知磁石５１の下面５１ａの下方に位置し、磁石支持片２５を挟んで、前記下面５１ａに対向している。なお、磁気検知部材５２は、支持基台２に一体化される基板に実装されていてもよく、この場合には、基板もレンズ保持部材１０とは異なる固定部を構成する。
【００４６】
図２と図３に示すように、ヨーク３には、レンズ保持部材１０とコイルＣを４つの側面から覆う側壁部３ｃと、４つの角部において、光透過穴３ｂの内縁部付近の天井部３ａから下向き（Ｚ２方向）に折り曲げられた対向部３ｄとが一体に設けられている。ヨーク３の側壁部３ｃは、駆動磁石Ｍの外側に接触し、対向部３ｄが、レンズ保持部材１０とコイルＣとの間に形成された空間に入り込んでおり、側壁部３ｃと対向部３ｄとの間に、駆動磁石ＭとコイルＣとが介在した構造となっている。なお、側壁部３ｃはレンズ保持部材１０を囲むように筒状に形成されており、角部を除いた各側面は平板状（平面状）に形成されている。
【００４７】
図２と図５に示すように、側壁部３ｃのうちのＸ１側に向く面に、開口部３ｅが形成されている。開口部３ｅは、側壁部３ｃの１つの面におけるＹ１−Ｙ２方向の中央部に形成されている。開口部３ｅは位置検知磁石５１と対向する部分に開口し、位置検知磁石５１を露出させる大きさに形成されている。開口部３ｅは、側壁部３ｃの下縁部に解放される凹部（切欠き部）である。ただし、開口部３ｅが円形や長円形の穴であってもよい。図１と図６に示すように、開口部３ｅは、非磁性材料製のカバー部材４で側方から覆われている。よって、開口部３ｅから内部に埃などが侵入するのを防止できる。なお、カバー部材４は、ヨーク３全体を収容可能な箱形状に形成されているが、光透過穴４ｂは、ヨーク３の光透過穴３ｂよりもわずかに小さく形成されている。そして、カバー部材４の天井部４ａがヨーク３の対向部３ｄに隣接して形成された切欠き部を覆っている。
【００４８】
図６に示すように、位置検知部５０では、レンズ保持部材１０に保持された位置検知磁石５１と、支持基台２に保持された磁気検知部材５２とが、光軸Ｏに沿う方向である上下方向（Ｚ１−Ｚ２方向）に間隔を空けて対向している。この位置検知部５０は、Ｘ１−Ｘ２方向に広いスペースを必要とすることなく配置できるので、レンズ駆動装置１のＸ１−Ｘ２方向の幅寸法の増加を抑制でき、小型化を実現できる。
【００４９】
図６に示すように、ヨーク３の側壁部３ｃの１つの側面のみに形成された開口部３ｅは外側からカバー部材４で覆われているが、開口部３ｅの内部は、ヨーク３の板厚寸法ｔに相当する幅の予備空間となっている。よって、位置検知磁石５１を、幅寸法Ｗの分だけ、開口部３ｅの内部に入り込ませることができる。この構造では、位置検知磁石５１のＸ１−Ｘ２方向の幅寸法を大きくでき、磁気検知部材５２に与える磁束を増加でき、磁気検知部材５２による位置検知磁石５１の検知感度を高め、位置検知磁石５１がＺ１−Ｚ２方向へ動いたときの検知を確実なものとすることができる。また、位置検知磁石５１の寸法が同じであるならば、レンズ駆動装置１のＸ１−Ｘ２方向の寸法を小さくすることが可能と言うこともできる。
【００５０】
また、位置検知磁石５１が、開口部３ｅの内部でＺ１−Ｚ２方向へ移動するため、移動中の位置検知磁石５１がヨーク３と干渉することも防止できる。
【００５１】
図７の底面図に、位置検知部５０の中心すなわち位置検知磁石５１のＹ１−Ｙ２方向の幅寸法の中心と、光軸Ｏとを結ぶ線が仮想線Ｌ０として示され、光軸Ｏを通って仮想線Ｌ０と直交する線が仮想分割面Ｌｂとして示されている。なお、図７は光軸Ｏに沿ったＺ２側から見た底面図であるので、仮想分割面Ｌｂは直線で示されている。レンズ駆動装置１では、位置検知部５０の中心すなわち位置検知磁石５１の中心が、仮想分割面ＬｂよりもＸ１側に配置され、コイルＣの被覆導線４１の端末部４１ａと下部板ばね２０とを導通させている２つの通電接合部４０が、仮想分割面ＬｂよりもＸ２側に位置している。
【００５２】
レンズ駆動装置１では、２か所の通電接合部４０が、レンズ保持部材１０に固定された位置検知磁石５１との質量のバランスをとるためのバランス質量として機能している。このバランス質量は、非磁性材料によって形成されている。図８に示すように、通電接合部４０では、コイルＣから延びる被覆導線４１の端末部４１ａが突部１４に巻かれ、端末部４１ａと下部板ばね２０の可動側支持片２２とが導電性接着剤４２で接合されている。通電接合部４０では、突部１４とこれに巻かれた端末部４１ａおよび導電性接着剤４２の質量の総和がバランス質量として機能している。ただし、導電性接着剤４２の質量が最も大きいため、実質的には、バランス質量が、導電性接着剤４２の塗布量で決められる。
【００５３】
通電接合部４０では、導電性接着剤４２が、可動側支持片２２とレンズ保持部材１０との間に介在するように塗布されるため、導電性接着剤４２の量を調整しやすくなっている。また、銀を含む導電性接着剤４２を使用することにより、実質的に導電性接着剤４２で構成されるバランス質量を大きくすることができる。
【００５４】
図７に示すように、バランス質量の主体となる導電性接着剤４２の重心と、光軸Ｏを結ぶ仮想線をＬａとしたときに、２本の仮想線Ｌａと仮想分割面Ｌｂとの成す角度θは、互いに同一である。
【００５５】
位置検知磁石５１を仮想分割面ＬｂよりもＸ１側に配置し、２か所のバランス質量である通電接合部４０をＸ２側に均等に配置することで、３か所の質量でレンズ保持部材１０の質量のバランスを保っている。質量を３か所に配置することで、３か所の質量の重心を、光軸Ｏに一致させ、あるいは光軸Ｏの近傍に設定しやすくなる。
【００５６】
なお、通電接合部４０において、被覆導線４１の端末部４１ａと下部板ばね２０の可動側支持片２２との接合材として半田などの接合金属を使用することも可能である。ただし、銀を含む導電性接着剤４２は半田よりも比重が大きいため、導電性接着剤４２を使用することでバランス質量の大きさを調整しやすくなる。また、２か所のバランス質量として、端末部４１ａと可動側支持片２２との接合を目的とせず、質量を配置する目的のみで、レンズ保持部材１０の下面１０ａに、あるいは可動側支持片２２とレンズ保持部材１０との間に導電性接着剤４２を付着させてもよい。
【００５７】
次にレンズ駆動装置１の動作を説明する。
駆動磁石Ｍから発せられる磁束がヨーク３の内部に誘導されて、ヨーク３の対向部３ｄと駆動磁石Ｍとの間に、コイルＣを横切る磁界が形成される。コイルＣに駆動電流が与えられると、駆動電流とこれを交差する前記磁界との電磁力によって、レンズ保持部材１０が光軸方向であるＺ１−Ｚ２方向へ駆動され、カメラモジュールにおいてＺ２側に設けられたＣＣＤなどの撮像素子への画像の焦点合わせが行われる。
【００５８】
図６に示す位置検知部５０では、レンズ保持部材１０と共に移動する位置検知磁石５１のＺ１−Ｚ２方向の位置、すなわち、レンズ保持部材１０の光軸方向における位置が磁気検知部材５２で検知される。この検知出力をカメラモジュールに付随する電子回路部の制御部に与えることで、レンズ保持部材１０をＺ１−Ｚ２方向の目標位置へ移動させるためにコイルＣに与える駆動電流を高精度に制御できるようになる。
【００５９】
図２と図５に示すように、位置検知磁石５１と対向する部分でヨーク３の側壁部３ｃに開口部３ｅが形成されているため、位置検知磁石５１からの磁束がヨーク３の側壁部３ｃに吸収されるのを制限でき、位置検知磁石５１からの磁界を磁気検知部材５２で高精度に検知することが可能になる。
【００６０】
実施の形態のレンズ駆動装置１は、位置検知磁石５１が１か所にのみ設けられ、位置検知磁石５１を露出させる開口面積を有する開口部３ｅが、ヨーク３の側壁部３ｃの１か所にのみ形成されている。したがって、位置検知磁石５１からの磁界がレンズ駆動装置１から外部に漏れ出るのは、Ｘ１側だけである。他のＸ２側とＹ１側およびＹ２側は、ヨーク３の側壁部３ｃで覆われているため、位置検知磁石５１から出る磁界と各駆動磁石Ｍから出る磁界は、Ｘ２側とＹ１側およびＹ２側において、Ｘ１側ほど大きく漏れ出ることがない。
【００６１】
したがって、複数のレンズ駆動装置１を並べて配置するとき、またはスピーカやマイクなどのように磁界の影響を受けやすく電子部品をレンズ駆動装置１と並べて配置するときに、他のレンズ駆動装置１や電子部品を、Ｘ２方向とＹ１方向およびＹ２方向に並べて配置することが可能になり、部品配置の自由度を高めることができる。
【００６２】
なお、図７に示すように、位置検知部５０と、２か所のバランス質量との配置関係に関する発明は、位置検知磁石５１を露出させるためにヨーク３に形成された開口部３ｅの有無や、開口部３ｅの数とは無関係に構成できる。
【符号の説明】
【００６３】
１  レンズ駆動装置
２  支持基台（固定部）
３  ヨーク（固定部）
３ｃ  側壁部
３ｅ  開口部
４  カバー部材
５  接続端子
１０  レンズ保持部材
１０ａ  レンズ保持部材の下面
２０  下部板ばね
２１  固定側支持片
２２  可動側支持片
２３  弾性腕部
２４  接合切欠き部
２５  磁石支持片
３０  上部板ばね
３１  固定側支持片
３２  可動側支持片
４０  通電接合部
４１  被覆導線
４１ａ  端末部
４２  導電性接着剤（バランス質量）
５０  位置検知部（位置検知手段）
５１  位置検知磁石
５２  磁気検知部材
Ｃ  コイル
Ｍ  駆動磁石
Ｏ  光軸
Ｌｂ  仮想分割面
【図１】
0006695434.tif 000002
【図２】
0006695434.tif 000003
【図３】
0006695434.tif 000004
【図４】
0006695434.tif 000005
【図５】
0006695434.tif 000006
【図６】
0006695434.tif 000007
【図７】
0006695434.tif 000008
【図８】
0006695434.tif 000009